(57)【特許請求の範囲】
【請求項１】
Ａｐｐ端末が実行する方法であって、
それぞれ説明を含み、適用条件が割り当てられた複数のブラッシングスキームをクラウドから読み取るステップと、
ユーザーの個人情報を取得し、前記読み取るステップで読み取った複数のブラッシングスキームについて、取得した個人情報が適用条件に合致するか否かにより、推奨するブラッシングスキームを選択するステップと、
ユーザーの操作に従って、推奨したブラッシングスキームを使用することが選択された場合、パラメーターの調整のために前記推奨したブラッシングスキームをスマート歯ブラシにプッシュするステップと、
ユーザーの操作に従って、推奨したブラッシングスキームを使用しないことが選択された場合、前記Ａｐｐ端末の表示インタフェースに、推奨しなかったブラッシングスキームの説明を表示するステップと、
ユーザーの操作に従って、前記説明を表示するステップで表示された説明に対応するブラッシングスキームのいずれかが選択された場合、パラメーターの調整のために、選択されたブラッシングスキームを前記スマート歯ブラシにプッシュするステップと、
ユーザーの操作に従って、ブラッシングスキームをカスタムすることが選択された場合、いずれかのブラッシングスキームをカスタムし、パラメーターの調整のために、カスタムしたブラッシングスキームを前記スマート歯ブラシにプッシュするステップと、
を含むことを特徴とするスマート歯ブラシの制御方法。
【請求項２】
前記パラメーターが、動作パラメーターであることを特徴とする請求項１に記載のスマート歯ブラシの制御方法。
【請求項３】
前記説明を表示するステップで、前記複数のブラッシングスキーム全ての説明を表示する、ことを特徴とする請求項１または２に記載のスマート歯ブラシの制御方法。
【請求項４】
前記スマート歯ブラシは歯ブラシファームウェアを備え、カスタムしたブラッシングスキームをスマート歯ブラシにプッシュする前記ステップは、
前記表示インタフェースにおけるカスタムオプションに対するクリック操作を取得し、カスタムスキームインタフェースをポップアップすることと、
前記カスタムスキームインタフェースで実行されるブラッシングステップ、振動周波数、振動持続時間、及び振動モードに対する選択操作を取得し、プリセット形式のカスタムブラッシングスキームを生成することと、
前記カスタムブラッシングスキームをクラウドに送信して記憶させ、そして前記表示インタフェースに表示することと、
ユーザーが実行した確認操作を取得した後、前記カスタムブラッシングスキームを前記歯ブラシファームウェアにプッシュして、スマート歯ブラシのブラッシングステップ、振動周波数、振動持続時間、及び振動モードを調整することと、を含む、ことを特徴とする請求項１から３の何れか１項に記載のスマート歯ブラシの制御方法。
【請求項５】
前記スマート歯ブラシは歯ブラシファームウェアを備え、ブラッシングスキームを前記スマート歯ブラシにプッシュする各ステップは、
前記Ａｐｐ端末によってプッシュされたブラッシングスキームを受信し、且つそれを前記歯ブラシファームウェアに記憶することと、
前記歯ブラシファームウェアを動作させることで前記スマート歯ブラシの振動モード、振動周波数、及び振動持続時間を調整することと、を含むことを特徴とする請求項１から４の何れか１項に記載のスマート歯ブラシの制御方法。
【請求項６】
前記読み取るステップの前に、
バックグラウンドサーバが、
前記クラウドに入力される前記複数のブラッシングスキームの全てについて、ユーザーの個人情報をグループ分けした中のそれぞれ異なる対象グループに対応づけるマッチングを行い、
それぞれ異なる対象グループが適用条件として割り当てられた前記複数のブラッシングスキームをクラウドに入力する、ことをさらに含むことを特徴とする請求項１から５の何れか１項に記載のスマート歯ブラシの制御方法。
【請求項７】
前記推奨するブラッシングスキームを選択する前記ステップは、
ユーザーが登録しているＡｐｐアカウントの登録情報又は前記Ａｐｐアカウントに関連付けられているサードパーティアプリケーションのアカウント情報からユーザーの個人情報を取得することと、
前記個人情報が対象グループに含まれるか否かにより、ユーザーの所属する対象グループを判定することと、
ユーザーの所属する対象グループが適用条件に合致するか否かにより、推奨するブラッシングスキームを選択することと、を含むことを特徴とする請求項６に記載のスマート歯ブラシの制御方法。
【請求項８】
前記推奨するブラッシングスキームを選択する前記ステップは、
前記Ａｐｐ端末が個人識別カードからユーザーの個人情報を読み取ることと、
前記個人情報が対象グループに含まれるか否かにより、ユーザーの所属する対象グループを判定することと、
前記ユーザーの所属する対象グループが適用条件に合致するか否かにより、推奨するブラッシングスキームを選択することと、を含む、ことを特徴とする請求項６に記載のスマート歯ブラシの制御方法。
【請求項９】
スマート歯ブラシの制御システムであって、
前記制御システムはＡｐｐ端末及び前記Ａｐｐ端末にそれぞれ接続されるクラウドとスマート歯ブラシを備え、前記Ａｐｐ端末は第１のメモリと、第１のプロセッサと、前記第１のメモリに記憶され且つ前記第１のプロセッサで実行される第１の制御プログラムと、を含み、前記第１の制御プログラムが前記第１のプロセッサによって実行される際に、
Ａｐｐ端末が、
それぞれ説明を含み、適用条件が割り当てられた複数のブラッシングスキームをクラウドから読み取り、
ユーザーの個人情報を取得し、前記複数のブラッシングスキームについて、取得した個人情報が適用条件に合致するか否かにより、推奨するブラッシングスキームを選択し、
ユーザーの操作に従って、推奨したブラッシングスキームを使用することが選択された場合、パラメーターの調整のために推奨したブラッシングスキームをスマート歯ブラシにプッシュし、
ユーザーの操作に従って、推奨したブラッシングスキームを使用しないことが選択された場合、前記Ａｐｐ端末の表示インタフェースに推奨しなかったブラッシングスキームの説明を表示し、
ユーザーの操作に従って、表示された推奨しなかったブラッシングスキームの説明に対応するブラッシングスキームのいずれかが選択された場合、パラメーターの調整のために、選択されたブラッシングスキームを前記スマート歯ブラシにプッシュし、
ユーザーの操作に従って、ブラッシングスキームをカスタムすることが選択された場合、いずれかのブラッシングスキームをカスタムし、パラメーターの調整のために、カスタムしたブラッシングスキームを前記スマート歯ブラシにプッシュする、ことを特徴とするスマート歯ブラシの制御システム。
【請求項１０】
前記パラメーターが、動作パラメーターである、ことを特徴とする請求項９に記載のスマート歯ブラシの制御システム。
【請求項１１】
前記第１の制御プログラムが前記第１のプロセッサによって実行される際に、
前記推奨しなかったブラッシングスキームの説明を表示する際に、
前記複数のブラッシングスキームの全てを表示する、ことを特徴とする請求項９または１０に記載のスマート歯ブラシの制御システム。
【請求項１２】
前記第１の制御プログラムが前記第１のプロセッサによって実行される際に、
前記表示インタフェースにおけるカスタムオプションに対するクリック操作を取得し、カスタムスキームインタフェースをポップアップし、
前記カスタムスキームインタフェースで実行されたブラッシングステップ、振動周波数、振動持続時間、及び振動モードに対する選択操作を取得し、プリセット形式のカスタムブラッシングスキームを生成し、
前記カスタムブラッシングスキームをクラウドに送信して記憶し、そして前記表示インタフェースに表示し、
ユーザーが実行した確認操作を取得した後、前記カスタムブラッシングスキームをスマート歯ブラシの歯ブラシファームウェアにプッシュして、スマート歯ブラシのブラッシングステップ、振動周波数、振動持続時間、及び振動モードを調整する、ことを特徴とする請求項９から１１の何れか１項に記載のスマート歯ブラシの制御システム。
【請求項１３】
バックグラウンドサーバをさらに備え、
前記第１の制御プログラムが前記第１のプロセッサによって実行される前に、
前記バックグラウンドサーバが、前記クラウドに入力される前記複数のブラッシングスキームの全てについて、ユーザーの個人情報をグループ分けした中のそれぞれ異なる対象グループに対応づけるマッチングを行い、それぞれ異なる対象グループが適用条件として割り当てられた前記複数のブラッシングスキームをクラウドに入力し、
前記第１の制御プログラムが前記第１のプロセッサによって実行される際に、
ユーザーが登録しているＡｐｐアカウントの登録情報又は前記Ａｐｐアカウントに関連付けられているサードパーティアプリケーションのアカウント情報からユーザーの個人情報を取得し、
前記個人情報が対象グループに含まれるか否かにより、ユーザーの所属する対象グループを判定し、
ユーザーの所属する対象グループが適用条件に合致するか否かにより、推奨するブラッシングスキームを選択し、
推奨したブラッシングスキームをＡｐｐ端末の表示インタフェースに表示する、ことを特徴とする請求項９から１１の何れか１項に記載のスマート歯ブラシの制御システム。
【請求項１４】
バックグラウンドサーバをさらに備え、
前記第１の制御プログラムが前記第１のプロセッサによって実行される前に、
前記バックグラウンドサーバが、前記クラウドに入力される前記複数のブラッシングスキームの全てについて、ユーザーの個人情報をグループ分けした中のそれぞれ異なる対象グループに対応づけるマッチングを行い、それぞれ異なる対象グループが適用条件として割り当てられた前記複数のブラッシングスキームをクラウドに入力し、
前記第１の制御プログラムが前記第１のプロセッサによって実行される際に、
前記Ａｐｐ端末が個人識別カードからユーザーの個人情報を読み取り、
前記個人情報に基づいてユーザーの所属する対象グループを判定し、
ユーザーの所属する対象グループが適用条件に合致するか否かにより、推奨するブラッシングスキームを選択し、
推奨したブラッシングスキームをＡｐｐ端末の表示インタフェースに表示する、ことを特徴とする請求項９から１１の何れか１項に記載のスマート歯ブラシの制御システム。
【請求項１５】
前記スマート歯ブラシは第２のメモリと、第２のプロセッサと、前記第２のメモリに記憶され且つ前記第２のプロセッサで動作する第２の制御プログラムと、を含み、前記第２の制御プログラムが前記第２のプロセッサによって実行される際に、
前記Ａｐｐ端末によってプッシュされたブラッシングスキームを受信し、且つそれをスマート歯ブラシの歯ブラシファームウェアに記憶し、
前記歯ブラシファームウェアを動作させることで前記スマート歯ブラシの振動モード、振動周波数、及び振動持続時間を調整する、ことを特徴とする請求項９から１４の何れか１項に記載のスマート歯ブラシの制御システム。
【発明の詳細な説明】
【技術分野】
【０００１】
本発明は、スマートヘルスの技術分野に関し、特に、スマート歯ブラシの制御方法、制御システムに関する。
【背景技術】
【０００２】
スマート歯ブラシは、人々に良いブラッシング習慣を身につけさせるために役立つ。年齢、性別、地域が異なると、効果的なブラッシング習慣が異なるため、従来の歯ブラシの固定配置されたブラッシングスキームは制限され、すべてのユーザーのブラッシングニーズに応えることができない。
【発明の概要】
【発明が解決しようとする課題】
【０００３】
本発明の主な目的は、様々な状況下における異なるユーザーのブラッシングニーズに応え、スマート歯ブラシの適用性を改善するスマート歯ブラシの制御方法を提供することである。
【課題を解決するための手段】
【０００４】
上記目的を達成するために、本発明によるスマート歯ブラシの制御方法は、
Ａｐｐ端末がクラウドのブラッシングスキームを読み取るステップと、
ユーザーの個人情報を取得し、前記個人情報に基づいて適合するブラッシングスキームを推奨するステップと、
取得したユーザーの選択操作に従って、パラメーターの調整のために推奨された前記ブラッシングスキームをスマート歯ブラシにプッシュし、或いはパラメーターの調整のためにユーザーがカスタム又は再選択したブラッシングスキームをスマート歯ブラシにプッシュするステップと、を含む。
【０００５】
さらに、取得したユーザーの選択操作に従って、パラメーターの調整のために推奨された前記ブラッシングスキームをスマート歯ブラシにプッシュし、或いはパラメーターの調整のためにユーザーがカスタム又は再選択したブラッシングスキームをスマート歯ブラシにプッシュする前記ステップは、具体的には、
取得したユーザーの選択操作に従って、前記Ａｐｐ端末によって推奨されたブラッシングスキームが受け入れられるか否かを判断することと、
そうであれば、動作パラメーターの調整のために前記Ａｐｐ端末によって推奨されたブラッシングスキームを前記スマート歯ブラシにプッシュすることと、
そうでなければ、動作パラメーターの調整のためにユーザーがカスタム又は再選択したブラッシングスキームを前記スマート歯ブラシにプッシュすることと、を含む。
【０００６】
さらに、動作パラメーターの調整のためにユーザーがカスタム又は再選択したブラッシングスキームをスマート歯ブラシにプッシュする前記ステップは、具体的には、
推奨されたブラッシングスキームが受け入れられない場合、前記Ａｐｐ端末がその表示インタフェースにブラッシングスキームの全てを表示することと、
前記ブラッシングスキームの全ての中にユーザーが必要とするブラッシングスキームがある場合、動作パラメーターの調整のために前記Ａｐｐ端末がユーザーの再選択したブラッシングスキームを前記スマート歯ブラシにプッシュすることと、
前記ブラッシングスキームの全ての中にユーザーが必要とするブラッシングスキームがない場合、動作パラメーターの調整のために前記Ａｐｐ端末がユーザーのカスタムしたブラッシングスキームを前記スマート歯ブラシにプッシュすることと、を含む。
【０００７】
さらに、前記スマート歯ブラシは歯ブラシファームウェアを備え、動作パラメーターの調整のためにユーザーのカスタムしたブラッシングスキームをスマート歯ブラシにプッシュする前記ステップは、具体的には、
前記表示インタフェースにおけるカスタムオプションに対するクリック操作を取得し、カスタムスキームインタフェースをポップアップすることと、
前記カスタムスキームインタフェースで実行されたブラッシングステップ、振動周波数、振動持続時間、及び振動モードに対する選択操作を取得し、プリセット形式のカスタムブラッシングスキームを生成することと、
前記カスタムブラッシングスキームをクラウドに送信して記憶し、そして前記表示インタフェースに表示することと、
ユーザーが実行した確認操作を取得した後、前記カスタムブラッシングスキームを前記歯ブラシファームウェアにプッシュして、スマート歯ブラシのブラッシングステップ、振動周波数、振動持続時間、及び振動モードを調整することと、を含む。
【０００８】
さらに、前記スマート歯ブラシは歯ブラシファームウェアを備え、動作パラメーターの調整のためにブラッシングスキームを前記スマート歯ブラシにプッシュする前記ステップは、具体的には、
前記Ａｐｐ端末によってプッシュされたブラッシングスキームを受信し、且つそれを前記歯ブラシファームウェアに記憶することと、
前記歯ブラシファームウェアを動作させることで前記スマート歯ブラシの振動モード、振動周波数、及び振動持続時間を調整することと、を含む。
【０００９】
さらに、Ａｐｐ端末がクラウドのブラッシングスキームを読み取る前記ステップの前に、
前記クラウドにブラッシングスキームの全てを入力して異なる対象グループに基づいてマッチングを行うことをさらに含む。
【００１０】
さらに、ユーザーの個人情報を取得し、前記個人情報に基づいて適合するブラッシングスキームを推奨する前記ステップは、具体的には、
Ａｐｐアカウントの登録情報又は前記Ａｐｐアカウントに関連付けられているサードパーティアプリケーションのアカウント情報からユーザーの個人情報を取得することと、
前記個人情報に基づいてユーザーの所属する対象グループを判定することと、
ユーザーの所属する対象グループに従って適合するブラッシングスキームを推奨することと、
推奨されたブラッシングスキームをＡｐｐ端末の表示インタフェースに表示することと、を含む。
【００１１】
さらに、ユーザーの個人情報を取得し、前記個人情報に基づいて適合するブラッシングスキームを推奨する前記ステップは、具体的には、
前記Ａｐｐ端末が個人識別カードからユーザーの個人情報を読み取ることと、
前記個人情報に基づいてユーザーの所属する対象グループを判定することと、
ユーザーの所属する対象グループに従って適合するブラッシングスキームを推奨することと、
推奨されたブラッシングスキームをＡｐｐ端末の表示インタフェースに表示することと、を含む。
【００１２】
本発明は、スマート歯ブラシの制御システムをさらに提供し、該制御システムはＡｐｐ端末及び前記Ａｐｐ端末にそれぞれ接続されるクラウドとスマート歯ブラシを備え、前記Ａｐｐ端末は第１のメモリと、第１のプロセッサと、前記第１のメモリに記憶され且つ前記第１のプロセッサで動作する第１の制御プログラムと、を含み、前記第１の制御プログラムが前記第１のプロセッサによって実行される際に以上に記載の制御方法のステップを実現する。
【００１３】
さらに、前記スマート歯ブラシは第２のメモリと、第２のプロセッサと、前記第２のメモリに記憶され且つ前記第２のプロセッサで動作する第２の制御プログラムと、を含み、前記第２の制御プログラムが前記第２のプロセッサによって実行される際に、
前記Ａｐｐ端末によってプッシュされたブラッシングスキームを受信し、且つそれを前記歯ブラシファームウェアに記憶する操作と、
前記歯ブラシファームウェアを動作させることで前記スマート歯ブラシの振動モード、振動周波数、及び振動持続時間を調整する操作と、を実現する。
【発明の効果】
【００１４】
本発明によるスマート歯ブラシの制御方法は、Ａｐｐ端末がクラウドのブラッシングスキームを読み取り、そしてユーザーの個人情報に基づいて適合するブラッシングスキームを推奨し、最後に、ユーザーの選択に従って、パラメーターの調整のために推奨されたブラッシングスキームをスマート歯ブラシにプッシュし、又はパラメーターの調整のためにユーザーがカスタム又は再選択したブラッシングスキームをスマート歯ブラシにプッシュし、より多くの人々の様々なブラッシングニーズに応え、スマート歯ブラシの適用性を改善する。
【図面の簡単な説明】
【００１５】
本発明の実施例又は従来技術における技術的解決手段をより明確に説明するために、以下では実施例又は従来技術の説明に必要な図面を簡単に説明する。明らかなように、以下で説明する図面は本発明のいくつかの実施例である。当業者であれば、創造的な労力なしに、それらの添付図面に基づいて他の図面を得ることができる。
【００１６】
【図１】本発明によるスマート歯ブラシの制御方法の一実施例のフローチャートである。
【図２】図１におけるステップＳ５３の具体的なフローチャートである。
【図３】図２におけるステップＳ５３３の具体的なフローチャートである。
【発明を実施するための形態】
【００１７】
添付の図面を参照し、本発明の目的の実施、機能的特徴及び利点をさらに説明する。
【００１８】
なお、本明細書で説明される具体的な実施例は本発明を説明するためのものにすぎず、本発明を限定するものではない。
【００１９】
本発明は、スマート歯ブラシの制御方法を提供する。
【００２０】
図１を参照して、図１は本発明によるスマート歯ブラシの制御方法の一実施例のフローチャートである。
【００２１】
本実施例では、該制御方法は、Ｓ１０と、Ｓ２０と、Ｓ３０と、Ｓ４０と、Ｓ５１と、Ｓ５２と、Ｓ５３と、を含む。
Ｓ１０において、クラウドにブラッシングスキームの全てを入力して、異なる対象グループに基づいてマッチングを行う。
Ｓ２０において、Ａｐｐ端末が、それぞれクラウド及びスマート歯ブラシと通信接続を確立する。
Ｓ３０において、Ａｐｐ端末が、クラウドのブラッシングスキームを読み取る。
Ｓ４０において、ユーザーの個人情報を取得し、個人情報に基づいて適合するブラッシングスキームを推奨する。
Ｓ５１において、取得した、ユーザーの選択操作に従って、Ａｐｐ端末によって推奨されたブラッシングスキームが受け入れられるか否かを判断する。
推奨されたブラッシングスキームが受け入れられる場合、ステップＳ５２を実行する。
Ｓ５２において、動作パラメーターの調整のために、Ａｐｐ端末によって推奨されたブラッシングスキームをスマート歯ブラシにプッシュする。
推奨されたブラッシングスキームが受け入れられない場合、ステップＳ５３を実行する。
Ｓ５３において、動作パラメーターの調整のためにユーザーがカスタム又は再選択したブラッシングスキームをスマート歯ブラシにプッシュする。
【００２２】
本実施例では、該スマート歯ブラシの制御方法は、より多くの人々の異なるブラッシングニーズに応えるために主に使用される。該制御方法では、まずクラウドによってブラッシングスキームを配置する。クラウドによって配置されたブラッシングスキームがユーザーのニーズに応えられない場合、ユーザーにブラッシングスキームをカスタムする権限を与えてもよい。これによって、ユーザーの実際のニーズに応じてブラッシングスキームを柔軟に配置できる。パラメーターの調整のために配置されたブラッシングスキームをスマート歯ブラシにプッシュして、配置されたブラッシングスキームを実行する。
【００２３】
本実施例のブラッシングスキームはクラウドによって入力される。具体的な実行において、バックグラウンドサーバは、異なるスキーム内に含まれるブラッシングステップ、振動周波数、振動持続時間、振動モード及びアプリケーションプロンプトなどに従って分類し、その後、異なる適用可能な対象に従ってマッチング分類を実行する。例えば、ホワイトニングブラッシングスキームは、高周波の音波を使用し、振動持続時間は２分１０秒、使用期間は朝昼夜であり、アプリケーションプロンプトは、「フロスと合わせて利用すれば効果がよくなる」であり、採用するブラッシングステップは、クリーニングモード→ディープクリーニングモード→ポリシングモード→マッサージモードである。ただし、クリーニングモードの持続時間は４０秒であり、ディープクリーニングモードの持続時間は５５秒であり、ポリシングモードの持続時間は１５秒であり、マッサージモードの持続時間は２０秒である。異なる適用対象に従って、上記ブラッシングスキームが再調整される。最終的に、各ブラッシングスキームが１つのグループの対象と適合するようにされる。そして、各ブラッシングスキーム及びその適合する対象グループがクラウドに入力される。この対象グループは、主に年齢、性別、及び歯の種類に基づいてグループ分けされる。
【００２４】
ブラッシングスキームの全て及び各スキームに適合する対象グループをクラウドに入力した後、Ａｐｐ端末はそれぞれクラウド及びスマート歯ブラシと通信接続を確立する。Ａｐｐ端末とクラウドとの間の接続は、通常ＷｉＦｉ接続であり、他の実施例ではデータラインを介して接続してもよい。Ａｐｐ端末とクラウドとの間は、Ｈｔｔｐプロトコルを介してデータ伝送を行う。つまり、Ａｐｐ端末がクラウドにデータをアップロードすると、アップロードされたデータは、必然的にＨｔｔｐ形式で圧縮又はパッケージ化される。同様に、クラウドからＡｐｐ端末にデータ伝送を行うと、対応するデータも、ｈｔｔｐ形式で圧縮又はパッケージ化される。Ａｐｐ端末とスマート歯ブラシとの間の通信及びデータ伝送は、ブルートゥース（登録商標）、ＷｉＦｉ、又はｚｉｇｂｅｅなどによって行われる。ブルートゥース（登録商標）の低電力性能により、本実施例の制御方法は、ブルートゥース（登録商標）モードを使用してＡｐｐ端末とスマート歯ブラシとの間のデータ交換を実施することが好ましい。
【００２５】
ユーザーが歯を磨く必要がある場合、Ａｐｐ端末を使用してスマート歯ブラシのブラッシングパラメーターを調整することができる。つまり、適切なブラッシングスキームを選択することができる。この際、Ａｐｐ端末は、クラウドと確立された通信接続を介してクラウドのブラッシングスキームを読み取り、Ａｐｐ端末の表示インタフェースにブラッシングスキームの全てを表示する。それから、Ａｐｐ端末は、ユーザーの個人情報を自動的に取得し、且つ取得した個人情報を分析する。まず、Ａｐｐ端末は、性別に応じて男性と女性の２つのグループに分け、そして男性と女性の２つのグループに対してそれぞれ年齢のグループ分けを行う。例えば、Ａｐｐ端末は、０−１０歳を子供グループに、１１−１６歳を少年グループに、１７−３０歳を若者グループに、３１−６０歳を中年グループに、６０歳以上を高齢グループにそれぞれ分ける。最後に、Ａｐｐ端末は、ユーザーの所属するグループに応じて、該グループに適合するブラッシングスキームを推奨する。
【００２６】
Ａｐｐ端末は、推奨されたブラッシングスキームを表示インタフェースの最上層に表示する。この時点で、ユーザーは、Ａｐｐ端末によって推奨されたブラッシングスキームを受け入れるか否かを選択する必要がある。最上層の表示インタフェースは、推奨されたブラッシングスキームの名称、簡単な説明、機能の説明、及びプロンプトを含むだけでなく、さらに「今すぐ使用する」のオプションも含む。ユーザーは、この「今すぐ使用する」のオプションをクリックして、推奨されたブラッシングスキームを確認してもよく、左上のリターンフラグを選択して前のインタフェースに戻ってもよい。前のインタフェースは、クラウドから読み取られたブラッシングスキームの全てを表示する。つまり、Ａｐｐ端末が表示インタフェースで実行されたクリック操作を取得すると、Ａｐｐ端末によって推奨されたブラッシングスキームが受け入れられるか否かを決定するように該クリック操作をさらに判断する必要がある。推奨されたブラッシングスキームが受け入れられる場合、Ａｐｐ端末は、ブルートゥース（登録商標）経由で推奨されたブラッシングスキームをスマート歯ブラシにプッシュする。スマート歯ブラシに固有のブラッシングスキームを書き換え、つまり、スマート歯ブラシの動作パラメーターを調整して、それにＡｐｐ端末によって推奨されたブラッシングスキームを実行させる。推奨されたブラッシングスキームが受け入れられない場合、ユーザーは、Ａｐｐ端末によって読み取られたブラッシングスキームの全ての中から必要なブラッシングスキームを再選択する必要がある。或いはブラッシングスキームの全ての中にユーザーが必要とするブラッシングスキームがない場合、ユーザーは、必要なブラッシングスキームをカスタムする。そして、Ａｐｐ端末は、ユーザーが再選択又はカスタムしたブラッシングスキームをスマート歯ブラシにプッシュする。スマート歯ブラシに固有のブラッシングスキームを書き換え、つまり、スマート歯ブラシの動作パラメーターを調整してそれにユーザーがカスタム又は再選択したブラッシングスキームを実行させる。
【００２７】
本発明によるスマート歯ブラシの制御方法では、Ａｐｐ端末が、クラウドのブラッシングスキームを読み取る。そして、ユーザーの個人情報に基づいて適合するブラッシングスキームを推奨する。最後に、ユーザーの選択に従って、パラメーターの調整のために推奨されたブラッシングスキームをスマート歯ブラシにプッシュし、又はパラメーターの調整のためにユーザーがカスタム又は再選択したブラッシングスキームをスマート歯ブラシにプッシュする。カスタムしたブラッシングスキームを追加することによって、該制御方法はより多くの人々の様々なブラッシングニーズに応え、スマート歯ブラシの適用性が改善される。
【００２８】
図２に示すように、上記実施例のスマート歯ブラシの制御方法に基づいて、ステップＳ５３は、具体的には、Ｓ５３１と、Ｓ５３２と、Ｓ５３３と、を含む。
Ｓ５３１においては、推奨されたブラッシングスキームが受け入れられない場合、Ａｐｐ端末がその表示インタフェースにブラッシングスキームの全てを表示する。
Ｓ５３２においては、ブラッシングスキームの全ての中にユーザーが必要とするブラッシングスキームがある場合、動作パラメーターの調整のために、Ａｐｐ端末がユーザーにより再選択されたブラッシングスキームをスマート歯ブラシにプッシュする。
Ｓ５３３においては、ブラッシングスキームの全ての中にユーザーが必要とするブラッシングスキームがない場合、動作パラメーターの調整のために、Ａｐｐ端末がユーザーによりカスタムされたブラッシングスキームをスマート歯ブラシにプッシュする。
【００２９】
本実施例では、ユーザーがＡｐｐ端末によって推奨されたブラッシングスキームを確認しない場合、つまりＡｐｐ端末によって推奨されたブラッシングスキームが受け入れられない場合、Ａｐｐ端末は、その表示インタフェースにクラウドから読み取られたブラッシングスキームの全てを表示する。この時、ユーザーは、ブラッシングスキームの全てから自分に合わせたブラッシングスキームを選択できる。ブラッシングスキームの全ての中にユーザーに実際に必要なブラッシングスキームが存在する場合、Ａｐｐ端末は、取得された表示インタフェース上で特定のブラッシングスキームに対するユーザーのクリック操作に従って、ユーザーが再選択したブラッシングスキームを決定し、且つそれをスマート歯ブラシにプッシュする。スマート歯ブラシに固有のブラッシングスキームを書き換え、つまり、スマート歯ブラシの動作パラメーターを調整して、それにユーザーが再選択したブラッシングスキームを実行させる。ブラッシングスキームの全ての中にユーザーに実際に必要なブラッシングスキームが存在しない場合、Ａｐｐ端末は、ユーザーが表示インタフェースのカスタムオプションに対して実行したクリック操作を取得し、ユーザーがカスタム選択して生成したブラッシングスキームを受け入れ、且つそれをスマート歯ブラシにプッシュする。スマート歯ブラシに固有のブラッシングスキームを書き換え、つまり、スマート歯ブラシの動作パラメーターを調整して、それにユーザーがカスタムしたブラッシングスキームを実行させる。カスタムしたブラッシングスキームを追加することによって、該制御方法はより多くの人々の様々なブラッシングニーズに応え、スマート歯ブラシの適用性が改善される。
【００３０】
図３に示すように、上記実施例のスマート歯ブラシの制御方法に基づいて、スマート歯ブラシは歯ブラシファームウェアを備え、ステップＳ５３３は、具体的には、Ｓ５３３１と、Ｓ５３３２と、Ｓ５３３３と、Ｓ５３３４と、を含む。
Ｓ５３３１においては、表示インタフェースにおけるカスタムオプションに対するクリック操作を取得し、カスタムスキームインタフェースをポップアップする。
Ｓ５３３２においては、カスタムスキームインタフェースで実行されたブラッシングステップ、振動周波数、振動持続時間、及び振動モードに対する選択操作を取得し、プリセット形式のカスタムブラッシングスキームを生成する。
Ｓ５３３３においては、カスタムブラッシングスキームをクラウドに送信して記憶し、そして、表示インタフェースに表示する。
Ｓ５３３４においては、ユーザーが実行した確認操作を取得した後、カスタムブラッシングスキームを歯ブラシファームウェアにプッシュして、スマート歯ブラシのブラッシングステップ、振動周波数、振動持続時間、及び振動モードを調整する。
【００３１】
従来のブラッシングスキームがユーザーの実際のニーズに応えられない場合、ユーザーは自分の実際のニーズに応じてカスタムスキームオプションを選択できる。また、Ａｐｐ端末が表示インタフェースのカスタムオプションに対するクリック操作を取得した場合、その表示インタフェースで１つのカスタムスキームのインタフェースをポップアップバックする。該インタフェースは、カスタムスキームの名称オプション、スキームアイコンオプション、カスタムステップオプション、削除スキームオプション、及び保存オプションを含む。ただし、カスタムされた各ステップは、ユーザーが実際のニーズに応じて選択できるように、ブラッシング時間と振動周波数の選択を含む。ユーザーが自分の実際のニーズに応じて選択する時、ブラッシングステップ、振動周波数、振動持続時間、及び振動モードをそれぞれ選択する。そして、カスタムインタフェースの保存オプションをクリックする。さらに、プリセット形式のカスタムブラッシングスキームを生成する。次に、Ａｐｐ端末及びスマート歯ブラシのメモリを節約するように該カスタムブラッシングスキームをｈｔｔｐプロトコルによって圧縮又はパッケージ化し、保存のためにクラウドにアップロードする。カスタムブラッシングスキームは生成した後、Ａｐｐ端末の表示インタフェースにも表示される。それによって、ユーザーは、該カスタムブラッシングスキームに対して確認操作を実行する。ユーザーの表示インタフェースのカスタムブラッシングスキームに対するクリック操作を取得すると、該カスタムスキームをブルートゥース（登録商標）経由でスマート歯ブラシの歯ブラシファームウェアにプッシュする。カスタムスキームは、歯ブラシファームウェアに保存される。それによって、スマート歯ブラシはＡｐｐ端末から切断されても独立して使用できる。スマート歯ブラシは該歯ブラシファームウェアを動作させることでブラッシングステップ、振動周波数、振動持続時間、及び振動モードを調整する。それによって、自分の実際のニーズに応えられ、スマート歯ブラシの適用性が改善される。
【００３２】
さらに、スマート歯ブラシは歯ブラシファームウェアを備え、動作パラメーターの調整のためにブラッシングスキームをスマート歯ブラシにプッシュするステップは、具体的には、
Ａｐｐ端末によってプッシュされたブラッシングスキームを受信し、且つそれを歯ブラシファームウェアに記憶することと、
歯ブラシファームウェアを動作させることでスマート歯ブラシの振動モード、振動周波数、及び振動持続時間を調整することと、を含む。
【００３３】
本実施例では、Ａｐｐ端末が推奨されたブラッシングスキーム又はユーザーが再選択したブラッシングスキーム又はユーザーがカスタムしたブラッシングスキームをスマート歯ブラシにプッシュした後、スマート歯ブラシは、受信したＡｐｐによってプッシュされたブラッシングスキームを歯ブラシファームウェアに記憶する。それによって、スマート歯ブラシとＡｐｐ端末との間の通信接続が切断されても、スマート歯ブラシは依然として、Ａｐｐ端末によって推奨されたブラッシングスキーム、ユーザーが再選択したブラッシングスキーム、又はユーザーがカスタムしたブラッシングスキームを実現できる。新しいブラッシングスキームで歯を磨く場合、歯ブラシファームウェアを動作させるとスマート歯ブラシに固有のブラッシングスキームを変更できる。つまり、元のブラッシングスキームの振動モード、振動周波数、及び振動持続時間を調整して、ユーザーの実際のニーズに応えられ、スマート歯ブラシの適用性が改善される。
【００３４】
さらに、ユーザーの個人情報を取得し、個人情報に基づいて適合するブラッシングスキームを推奨するステップは、具体的には、
Ａｐｐアカウントの登録情報又はＡｐｐアカウントに関連付けられているサードパーティアプリケーションのアカウント情報からユーザーの個人情報を取得し、又は個人識別カードからユーザーの個人情報を読み取ることと、
個人情報に基づいてユーザーの所属する対象グループを判定することと、
ユーザーの所属する対象グループに従って適合するブラッシングスキームを推奨することと、
推奨されたブラッシングスキームをＡｐｐ端末の表示インタフェースに表示することと、を含む。
【００３５】
本実施例では、Ａｐｐ端末がユーザーの個人情報を取得するために、いくつかの方式を利用することができる。例えば、Ａｐｐアカウントの登録情報からユーザーの個人情報を取得し、Ａｐｐアカウントは、ユーザーの名前、年齢、性別などの個人情報を取得するために、登録時にユーザーに本名での登録を要求することができる。他の実施例では、Ａｐｐアカウントに関連付けられているサードパーティアプリケーションのアカウント情報からユーザーの個人情報を取得してもよい。例えば、Ａｐｐがログインする場合、サードパーティアプリケーションの認証を介してログインしてもよく、Ａｐｐアカウントをサードパーティアプリケーションのアカウント情報にバインドしてもよい。例えば、ＡｐｐアカウントをユーザーのＷｅｉｂｏアカウント又はＷｅＣｈａｔアカウントにバインドする。そして、ユーザーのＷｅｉｂｏアカウント情報又はＷｅＣｈａｔアカウント情報を取得することにより、ユーザーの名前、年齢、性別及び生活習慣などの個人情報を取得できる。又はＡｐｐ端末を使用してユーザーの個人識別カードをスキャンし、ユーザーの年齢、性別などの個人情報を読み取り、クラウドに入力されたブラッシングスキームの全てに対応する対象グループに対応するように取得した個人情報に基づいてユーザーの所属する対象グループを決定する。次に、ユーザーの所属する対象グループに基づいてブラッシングスキームを推奨し、推奨されたブラッシングスキームをユーザーが選択できるようにＡｐｐ端末の表示インタフェースに表示させる。
【００３６】
本発明は、スマート歯ブラシの制御システムをさらに提供する。
【００３７】
該制御システムはＡｐｐ端末及びＡｐｐ端末にそれぞれ接続されるクラウドとスマート歯ブラシを備え、Ａｐｐ端末は第１のメモリと、第１のプロセッサと、第１のメモリに記憶され且つ第１のプロセッサで動作する第１の制御プログラムと、を含み、第１の制御プログラムが第１のプロセッサによって実行される際に、
クラウドのブラッシングスキームを読み取る操作と、
ユーザーの個人情報を取得し、個人情報に基づいて適合するブラッシングスキームを推奨する操作と、
取得したユーザーの選択操作に従って、パラメーターの調整のために推奨されたブラッシングスキームをスマート歯ブラシにプッシュし、或いはパラメーターの調整のためにユーザーがカスタム又は再選択したブラッシングスキームをスマート歯ブラシにプッシュする操作と、を実現する。
【００３８】
本発明によるスマート歯ブラシの制御システムでは、Ａｐｐ端末がクラウドのブラッシングスキームを読み取る。そして、ユーザーの個人情報に基づいて適合するブラッシングスキームを推奨する。最後に、ユーザーの選択に従って、パラメーターの調整のために推奨されたブラッシングスキームをスマート歯ブラシにプッシュし、又はパラメーターの調整のためにユーザーがカスタム又は再選択したブラッシングスキームをスマート歯ブラシにプッシュする。カスタムしたブラッシングスキームを追加することによって、該制御システムはより多くの人々の様々なブラッシングニーズに応え、スマート歯ブラシの適用性が改善される。
【００３９】
さらに、第１の制御プログラムが第１のプロセッサによって実行される際に、
取得したユーザーの選択操作に従って、Ａｐｐ端末によって推奨されたブラッシングスキームが受け入れられるか否かを判断する操作と、
そうであれば、動作パラメーターの調整のためにＡｐｐ端末によって推奨されたブラッシングスキームをスマート歯ブラシにプッシュする操作と、
そうでなければ、動作パラメーターの調整のためにユーザーがカスタム又は再選択したブラッシングスキームをスマート歯ブラシにプッシュする操作と、をさらに実現する。
【００４０】
さらに、第１の制御プログラムが第１のプロセッサによって実行される際に、
推奨されたブラッシングスキームが受け入れられない場合、Ａｐｐ端末がその表示インタフェースにブラッシングスキームの全てを表示する操作と、
ブラッシングスキームの全ての中にユーザーが必要とするブラッシングスキームがある場合、動作パラメーターの調整のためにＡｐｐ端末がユーザーの再選択したブラッシングスキームをスマート歯ブラシにプッシュする操作と、
ブラッシングスキームの全ての中にユーザーが必要とするブラッシングスキームがない場合、動作パラメーターの調整のためにＡｐｐ端末がユーザーのカスタムしたブラッシングスキームをスマート歯ブラシにプッシュする操作と、をさらに実現する。
【００４１】
さらに、第１の制御プログラムが第１のプロセッサによって実行される際に、
表示インタフェースにおけるカスタムオプションに対するクリック操作を取得し、カスタムスキームインタフェースをポップアップする操作と、
カスタムスキームインタフェースで実行されたブラッシングステップ、振動周波数、振動持続時間、及び振動モードに対する選択操作を取得し、プリセット形式のカスタムブラッシングスキームを生成する操作と、
カスタムブラッシングスキームをクラウドに送信して記憶し、そして表示インタフェースに表示する操作と、
ユーザーが実行した確認操作を取得した後、カスタムブラッシングスキームを歯ブラシファームウェアにプッシュして、スマート歯ブラシのブラッシングステップ、振動周波数、振動持続時間、及び振動モードを調整する操作と、をさらに実現する。
【００４２】
さらに、第１の制御プログラムが第１のプロセッサによって実行される際に、
Ａｐｐアカウントの登録情報又はＡｐｐアカウントに関連付けられているサードパーティアプリケーションのアカウント情報からユーザーの個人情報を取得することと、
個人情報に基づいてユーザーの所属する対象グループを判定する操作と、
ユーザーの所属する対象グループに従って適合するブラッシングスキームを推奨する操作と、
推奨されたブラッシングスキームをＡｐｐ端末の表示インタフェースに表示する操作と、をさらに実現する。
【００４３】
さらに、第１の制御プログラムが第１のプロセッサによって実行される際に、
Ａｐｐ端末が個人識別カードからユーザーの個人情報を読み取る操作と、
個人情報に基づいてユーザーの所属する対象グループを判定する操作と、
ユーザーの所属する対象グループに従って適合するブラッシングスキームを推奨する操作と、
推奨されたブラッシングスキームをＡｐｐ端末の表示インタフェースに表示する操作と、をさらに実現する。
【００４４】
さらに、スマート歯ブラシは第２のメモリと、第２のプロセッサと、第２のメモリに記憶され且つ第２のプロセッサで動作する第２の制御プログラムと、を含み、第２の制御プログラムが第２のプロセッサによって実行される際に、
Ａｐｐ端末によってプッシュされたブラッシングスキームを受信し、且つそれを歯ブラシファームウェアに記憶する操作と、
歯ブラシファームウェアを動作させることでスマート歯ブラシの振動モード、振動周波数、及び振動持続時間を調整する操作と、を実現する。
【００４５】
上記は、本発明の好適な実施例にすぎず、本発明の範囲を限定することを意図するものではなく、本発明の明細書及び図面に基づいてなされる同等の構造又は同等のプロセス変換、あるいは他の関連している技術分野に直接的又は間接的に適用されることは、いずれも本発明の特許請求の範囲に含まれる。
【００４６】
（付記）
（付記１）
Ａｐｐ端末がクラウドのブラッシングスキームを読み取るステップと、
ユーザーの個人情報を取得し、前記個人情報に基づいて適合するブラッシングスキームを推奨するステップと、
取得したユーザーの選択操作に従って、パラメーターの調整のために推奨された前記ブラッシングスキームをスマート歯ブラシにプッシュし、或いはパラメーターの調整のためにユーザーがカスタム又は再選択したブラッシングスキームをスマート歯ブラシにプッシュするステップと、
を含むことを特徴とするスマート歯ブラシの制御方法。
【００４７】
（付記２）
取得したユーザーの選択操作に従って、パラメーターの調整のために推奨された前記ブラッシングスキームをスマート歯ブラシにプッシュし、或いはパラメーターの調整のためにユーザーがカスタム又は再選択したブラッシングスキームをスマート歯ブラシにプッシュする前記ステップは、具体的には、
取得したユーザーの選択操作に従って、前記Ａｐｐ端末によって推奨されたブラッシングスキームが受け入れられるか否かを判断することと、
そうであれば、動作パラメーターの調整のために前記Ａｐｐ端末によって推奨されたブラッシングスキームを前記スマート歯ブラシにプッシュすることと、
そうでなければ、動作パラメーターの調整のためにユーザーがカスタム又は再選択したブラッシングスキームを前記スマート歯ブラシにプッシュすることと、を含むことを特徴とする付記１に記載のスマート歯ブラシの制御方法。
【００４８】
（付記３）
動作パラメーターの調整のためにユーザーがカスタム又は再選択したブラッシングスキームをスマート歯ブラシにプッシュする前記ステップは、具体的には、
推奨されたブラッシングスキームが受け入れられない場合、前記Ａｐｐ端末がその表示インタフェースにブラッシングスキームの全てを表示することと、
前記ブラッシングスキームの全ての中にユーザーが必要とするブラッシングスキームがある場合、動作パラメーターの調整のために前記Ａｐｐ端末がユーザーの再選択したブラッシングスキームを前記スマート歯ブラシにプッシュすることと、
前記ブラッシングスキームの全ての中にユーザーが必要とするブラッシングスキームがない場合、動作パラメーターの調整のために前記Ａｐｐ端末がユーザーのカスタムしたブラッシングスキームを前記スマート歯ブラシにプッシュすることと、を含むことを特徴とする付記２に記載のスマート歯ブラシの制御方法。
【００４９】
（付記４）
前記スマート歯ブラシは歯ブラシファームウェアを備え、動作パラメーターの調整のためにユーザーのカスタムしたブラッシングスキームをスマート歯ブラシにプッシュする前記ステップは、具体的には、
前記表示インタフェースにおけるカスタムオプションに対するクリック操作を取得し、カスタムスキームインタフェースをポップアップすることと、
前記カスタムスキームインタフェースで実行されたブラッシングステップ、振動周波数、振動持続時間、及び振動モードに対する選択操作を取得し、プリセット形式のカスタムブラッシングスキームを生成することと、
前記カスタムブラッシングスキームをクラウドに送信して記憶し、そして前記表示インタフェースに表示することと、
ユーザーが実行した確認操作を取得した後、前記カスタムブラッシングスキームを前記歯ブラシファームウェアにプッシュして、スマート歯ブラシのブラッシングステップ、振動周波数、振動持続時間、及び振動モードを調整することと、を含むことを特徴とする付記３に記載のスマート歯ブラシの制御方法。
【００５０】
（付記５）
前記スマート歯ブラシは歯ブラシファームウェアを備え、動作パラメーターの調整のためにブラッシングスキームを前記スマート歯ブラシにプッシュする前記ステップは、具体的には、
前記Ａｐｐ端末によってプッシュされたブラッシングスキームを受信し、且つそれを前記歯ブラシファームウェアに記憶することと、
前記歯ブラシファームウェアを動作させることで前記スマート歯ブラシの振動モード、振動周波数、及び振動持続時間を調整することと、を含むことを特徴とする付記２に記載のスマート歯ブラシの制御方法。
【００５１】
（付記６）
前記スマート歯ブラシは歯ブラシファームウェアを備え、動作パラメーターの調整のためにブラッシングスキームを前記スマート歯ブラシにプッシュする前記ステップは、具体的には、
前記Ａｐｐ端末によってプッシュされたブラッシングスキームを受信し、且つそれを前記歯ブラシファームウェアに記憶することと、
前記歯ブラシファームウェアを動作させることで前記スマート歯ブラシの振動モード、振動周波数、及び振動持続時間を調整することと、を含むことを特徴とする付記３に記載のスマート歯ブラシの制御方法。
【００５２】
（付記７）
前記Ａｐｐ端末がクラウドのブラッシングスキームを読み取る前記ステップの前に、
前記クラウドにブラッシングスキームの全てを入力して異なる対象グループに基づいてマッチングを行うことをさらに含むことを特徴とする付記１に記載のスマート歯ブラシの制御方法。
【００５３】
（付記８）
ユーザーの個人情報を取得し、前記個人情報に基づいて適合するブラッシングスキームを推奨する前記ステップは、具体的には、
Ａｐｐアカウントの登録情報又は前記Ａｐｐアカウントに関連付けられているサードパーティアプリケーションのアカウント情報からユーザーの個人情報を取得することと、
前記個人情報に基づいてユーザーの所属する対象グループを判定することと、
ユーザーの所属する対象グループに従って適合するブラッシングスキームを推奨することと、
推奨されたブラッシングスキームをＡｐｐ端末の表示インタフェースに表示することと、を含むことを特徴とする付記７に記載のスマート歯ブラシの制御方法。
【００５４】
（付記９）
ユーザーの個人情報を取得し、前記個人情報に基づいて適合するブラッシングスキームを推奨する前記ステップは、具体的には、
前記Ａｐｐ端末が個人識別カードからユーザーの個人情報を読み取ることと、
前記個人情報に基づいてユーザーの所属する対象グループを判定することと、
ユーザーの所属する対象グループに従って適合するブラッシングスキームを推奨することと、
推奨されたブラッシングスキームをＡｐｐ端末の表示インタフェースに表示することと、を含むことを特徴とする付記７に記載のスマート歯ブラシの制御方法。
【００５５】
（付記１０）
スマート歯ブラシの制御システムであって、
前記制御システムはＡｐｐ端末及び前記Ａｐｐ端末にそれぞれ接続されるクラウドとスマート歯ブラシを備え、前記Ａｐｐ端末は第１のメモリと、第１のプロセッサと、前記第１のメモリに記憶され且つ前記第１のプロセッサで動作する第１の制御プログラムと、を含み、前記第１の制御プログラムが前記第１のプロセッサによって実行される際に、
Ａｐｐ端末がクラウドのブラッシングスキームを読み取る操作と、
ユーザーの個人情報を取得し、前記個人情報に基づいて適合するブラッシングスキームを推奨する操作と、
取得したユーザーの選択操作に従って、パラメーターの調整のために推奨された前記ブラッシングスキームをスマート歯ブラシにプッシュし、或いはパラメーターの調整のためにユーザーがカスタム又は再選択したブラッシングスキームをスマート歯ブラシにプッシュする操作と、を実現することを特徴とするスマート歯ブラシの制御システム。
【００５６】
（付記１１）
前記第１の制御プログラムが前記第１のプロセッサによって実行される際に、
取得したユーザーの選択操作に従って、前記Ａｐｐ端末によって推奨されたブラッシングスキームが受け入れられるか否かを判断する操作と、
そうであれば、動作パラメーターの調整のために前記Ａｐｐ端末によって推奨されたブラッシングスキームを前記スマート歯ブラシにプッシュする操作と、
そうでなければ、動作パラメーターの調整のためにユーザーがカスタム又は再選択したブラッシングスキームを前記スマート歯ブラシにプッシュする操作と、をさらに実現することを特徴とする付記１０に記載のスマート歯ブラシの制御システム。
【００５７】
（付記１２）
前記第１の制御プログラムが前記第１のプロセッサによって実行される際に、
推奨されたブラッシングスキームが受け入れられない場合、前記Ａｐｐ端末がその表示インタフェースにブラッシングスキームの全てを表示する操作と、
前記ブラッシングスキームの全ての中にユーザーが必要とするブラッシングスキームがある場合、動作パラメーターの調整のために前記Ａｐｐ端末がユーザーの再選択したブラッシングスキームを前記スマート歯ブラシにプッシュする操作と、
前記ブラッシングスキームの全ての中にユーザーが必要とするブラッシングスキームがない場合、動作パラメーターの調整のために前記Ａｐｐ端末がユーザーのカスタムしたブラッシングスキームを前記スマート歯ブラシにプッシュする操作と、をさらに実現することを特徴とする付記１１に記載のスマート歯ブラシの制御システム。
【００５８】
（付記１３）
前記第１の制御プログラムが前記第１のプロセッサによって実行される際に、
前記表示インタフェースにおけるカスタムオプションに対するクリック操作を取得し、カスタムスキームインタフェースをポップアップする操作と、
前記カスタムスキームインタフェースで実行されたブラッシングステップ、振動周波数、振動持続時間、及び振動モードに対する選択操作を取得し、プリセット形式のカスタムブラッシングスキームを生成する操作と、
前記カスタムブラッシングスキームをクラウドに送信して記憶し、そして前記表示インタフェースに表示する操作と、
ユーザーが実行した確認操作を取得した後、前記カスタムブラッシングスキームを前記歯ブラシファームウェアにプッシュして、スマート歯ブラシのブラッシングステップ、振動周波数、振動持続時間、及び振動モードを調整する操作と、をさらに実現することを特徴とする付記１２に記載のスマート歯ブラシの制御システム。
【００５９】
（付記１４）
前記第１の制御プログラムが前記第１のプロセッサによって実行される際に、
Ａｐｐアカウントの登録情報又は前記Ａｐｐアカウントに関連付けられているサードパーティアプリケーションのアカウント情報からユーザーの個人情報を取得することと、
前記個人情報に基づいてユーザーの所属する対象グループを判定する操作と、
ユーザーの所属する対象グループに従って適合するブラッシングスキームを推奨する操作と、
推奨されたブラッシングスキームをＡｐｐ端末の表示インタフェースに表示する操作と、をさらに実現することを特徴とする付記１０に記載のスマート歯ブラシの制御システム。
【００６０】
（付記１５）
前記第１の制御プログラムが前記第１のプロセッサによって実行される際に、
前記Ａｐｐ端末が個人識別カードからユーザーの個人情報を読み取る操作と、
前記個人情報に基づいてユーザーの所属する対象グループを判定する操作と、
ユーザーの所属する対象グループに従って適合するブラッシングスキームを推奨する操作と、
推奨されたブラッシングスキームをＡｐｐ端末の表示インタフェースに表示する操作と、をさらに実現することを特徴とする付記１０に記載のスマート歯ブラシの制御システム。
【００６１】
（付記１６）
前記スマート歯ブラシは第２のメモリと、第２のプロセッサと、前記第２のメモリに記憶され且つ前記第２のプロセッサで動作する第２の制御プログラムと、を含み、前記第２の制御プログラムが前記第２のプロセッサによって実行される際に、
前記Ａｐｐ端末によってプッシュされたブラッシングスキームを受信し、且つそれを前記歯ブラシファームウェアに記憶する操作と、
前記歯ブラシファームウェアを動作させることで前記スマート歯ブラシの振動モード、振動周波数、及び振動持続時間を調整する操作と、を実現することを特徴とする付記１０に記載のスマート歯ブラシの制御システム。
【図１】
0006902236.tif 000002
【図２】
0006902236.tif 000003
【図３】
0006902236.tif 000004